(57)【要約】【課題】  本体に集塵部が正しく取付けられたか否かを容易に判断できるようにすること【解決手段】  上記の課題を解決する為には、開口を有する集塵室が形成された本体と、開口より集塵室に着脱自在に搭載される集塵部と、開口を開閉する蓋体とを有し、本体には、集塵容器検出手段が、弾性部材に押圧されて前記開口に突出した状態で設けられ、集塵部には、集塵室に装着する際に、集塵検出手段と接する突出したガイド部が設けられ、蓋体には、集塵室に集塵部が装着されていない時、集塵検出手段と接触することで、蓋体が開口を閉じなくするための突起部が設けられ、集塵室に集塵部を装着するときに、ガイド部が集塵検出手段と接触して押圧することで、集塵検出手段は集塵部の通過領域から退避し、集塵部が集塵室の搭載位置に到達することで、ガイド部を該集塵検出手段が乗り越え、集塵検出手段は突出部と接触しない位置で保持されるように電気掃除機を構成する。【選択図】図３
2011010930.tif 000002
【特許請求の範囲】
【請求項１】
開口を有する集塵室が形成された本体と、
前記開口より集塵室に着脱自在に搭載される集塵部と、
前記開口を開閉する蓋体と、
を有し、
前記本体には、集塵部検出手段が、弾性部材に押圧されて前記開口に突出した状態で設けられ、
前記集塵部には、前記集塵室に装着する際に、前記集塵検出手段と接する突出したガイド部が設けられ、
前記蓋体には、前記集塵室に前記集塵部が装着されていない時、前記集塵部検出手段と接触することで、該蓋体が開口を閉じなくするための突起部が設けられ、
前記集塵室に前記集塵部を装着するときに、前記ガイド部が前記集塵部検出手段と接触して押圧することで、前記集塵部検出手段は該集塵部の通過領域から退避し、
該集塵部が該集塵室の搭載位置に到達することで、該ガイド部を該集塵部検出手段が乗り越え、該集塵部検出手段は前記突出部と接触しない位置で保持されることを特徴とする電気掃除機。
【請求項２】
前記集塵部検出手段の前記ガイド部と接触する部位は、曲面により構成されていることを特徴とする請求項１に記載の電気掃除機。
【請求項３】
前記集塵部検出手段が前記ガイド部を乗り越えるとき、該集塵部検出手段が前記弾性部材の反力で押圧されて、前記集塵部と接触することを特徴とする請求項１又は２のいずれかに記載の電気掃除機。
【発明の詳細な説明】
【技術分野】
【０００１】
本発明は、集塵容器が本体内部に着脱可能な電気掃除機に関する。
【背景技術】
【０００２】
従来から、掃除機本体の内部に形成された集塵室に着脱可能に収容され、吸引した塵埃を集積する集塵部（集塵容器）を備えた電気掃除機において、集塵部が本体内部に装着されていない場合、集塵室を覆う蓋体の閉鎖を規制するものがある。
このような電気掃除機には、集塵室近傍に係合凹部を形成され、この係合凹部に前後方向に進退可能な進退部材がスプリングで一方向に付勢した状態で設けられ、集塵室を開閉する蓋体に閉鎖規制部となる凸部が設けられ、集塵部には集塵室に取付けられた時に進退部材を押圧する突起が設けられている。
【０００３】
そして、集塵室に集塵部が正しく設けられていないときは、進退部材が集塵部の突起に押圧されないので、後退せずにそのままの位置で留まった状態となる。この時、蓋体により集塵室を閉鎖しようとすると、蓋体に設けられた閉鎖規制部が進退部材に干渉し、蓋体で集塵室を閉めることができない。
また、集塵室に集塵部が正しく設けられているときは、進退部材が集塵部の突起に押圧され、蓋体が閉められた際に閉鎖規制部と干渉しない位置まで後退する。これにより、集塵室に集塵部が設けられているときには、蓋体で集塵室を閉鎖することが可能となる（例えば、特許文献１参照）。
【先行技術文献】
【特許文献】
【０００４】
【特許文献１】特開２００２−３００９９０号公報（図１−４）
【発明の概要】
【発明が解決しようとする課題】
【０００５】
しかしながら、特許文献１に開示されている構成では、集塵部に設けた突起が進退部材を押す構成であることから、集塵部の有無により蓋体を閉鎖可能及び不可能な状態にはできるが、蓋体が開いた状態では、集塵部が正しく集塵室に取付けられたか否かを判断することが困難である。
特に、特許文献１に開示されている構成は、使用者に対して、集塵部が集塵室に正しく取付けられたことを知らせるものではない為、使用者が蓋を開放した状態で集塵部が正しく取付けられたかを判断することが困難である。
【０００６】
そこで本発明は、上記の問題を解決するためになされたもので、集塵部を掃除機本体に取付けた際に、正しく取付けられたことを使用者に対して知らせることが可能な電気掃除機を提供することを目的とする。
【課題を解決するための手段】
【０００７】
上記の課題を解決する為には、開口を有する集塵室が形成された本体と、開口より前記集塵室に着脱自在に搭載される集塵部と、開口を開閉する蓋体とを有し、本体には、集塵部検出手段が、弾性部材に押圧されて前記開口に突出した状態で設けられ、集塵部には、集塵室に装着する際に、集塵部検出手段と接する突出したガイド部が設けられ、蓋体には、集塵室に集塵部が装着されていない時、集塵部検出手段と接触することで、蓋体が開口を閉じなくするための突起部が設けられ、集塵室に集塵部を装着するときに、ガイド部が集塵部検出手段と接触して押圧することで、集塵部検出手段は集塵部の通過領域から退避し、集塵部が集塵室の搭載位置に到達することで、ガイド部を該集塵部検出手段が乗り越え、集塵部検出手段は突出部と接触しない位置で保持されるように電気掃除機を構成する。
【発明の効果】
【０００８】
以上のように各部を構成すれば、集塵部の有無により蓋体を閉鎖可能及び不可能な状態に構成すると共に、蓋体が開いた状態においても、集塵部が正しく集塵室に取付けられたか否かを判断すること可能となる。
【図面の簡単な説明】
【０００９】
【図１】電気掃除機の全体図を示す斜視図
【図２】本体の全体を示す上面図
【図３】図２のＡ−Ａ断面図
【図４】図２のＡ−Ａ断面図において集塵室に集塵部が取付けられていない状態を示す断面図
【図５】図４において集塵部検出手段の近傍を拡大した拡大図
【図６】集塵部検出手段の斜視図
【図７】集塵部を前左斜め上方から見た斜視図
【図８】集塵部を上方から見た平面図
【図９】図８のＢ−Ｂ断面図
【図１０】集塵部を塵埃室に取付ける為、挿入した状態の断面図
【図１１】図１０の要部拡大図
【図１２】図１０の状態より集塵部がより下方に位置する状態を示す断面図
【図１３】図１２の要部拡大図
【図１４】集塵室に集塵部が確実に取り付けられた状態を示す要部断面図
【発明を実施するための形態】
【００１０】
以下、図面を参照して、本発明の実施の形態について説明する。
図１を参照すると、電気掃除機Ｃは、本体１０と把持部を有するホース３０と延長パイプ４０と床用吸引具５０から構成されている。
本体１０の前部には、塵埃を本体１０に案内する蛇腹状のホース３０がホース差込口に接続されている。このホース３０には、塵埃を延長パイプ４０と結合部で結合接続されている
【００１１】
そして、延長パイプ４０の先端に形成された接続部には、被清掃面から直接塵埃を吸引する床ブラシ等を有する床用吸引具５０が着脱自在に取り付けられる。
また、本体１０の後部には、内部に搭載する電動送風機の排気を外部に排出する排気口６０が開口している。
【００１２】
次に、図２〜３を参照して、本体１０について説明する。
本体１０の外郭は、合成樹脂により形成される下ケース１１と上ケース１２と蓋体１３から成り、本体下ケース１１の内部に各部が組み込まれた状態で、本体上ケース１２と蓋体１３が本体下ケース１１を覆っている。
【００１３】
本体下ケース１１前部の上部には、後述する蓋体１３を係止し、蓋体の開放を抑制する蓋体係止部１１ｋが設けられている。
また、本体下ケース１１には、内部を前後に仕切ることにより、前側に吸引した塵埃を集塵する集塵部２０を装着する集塵室１４が形成され、後ろ側に吸引力を発生させる為の電動送風機や制御部等を搭載する電動送風機室１５が形成される。
【００１４】
集塵室１４は、前後左右を下ケース１１に形成された壁で囲まれ、上部には後述する集塵部２０を出し入れする上開口部１８が開口している。
そして、集塵室１４の前側の壁面には塵埃を取り込む為の取り込み口となる前開口部１６が形成され、後ろ側の集塵室１４と電動送風機室１５を隔てる内壁１７には、集塵室１４で塵埃が取り除かれた空気が電動送風機室１５へと流れる風路となる円形の後開口部１７ｒが形成されている。
【００１５】
この集塵室１４には、吸引した空気と塵埃を分離し、塵埃を貯める為の容器として、サイクロン部が形成された集塵部２０が取付けられる。また、集塵室１４に対して集塵部２０を着脱するための上開口部１８は、上方を蓋体１３により開閉自在に覆われている。
【００１６】
この蓋体１３には、蓋体が１３を閉鎖した状態において、集塵室１４の前側と上下に重なる部分に、突起部１３ａが下方向に延在して設けられている。
また、蓋体１３の突起部１３ａの前側の位置には、蓋体１３が上開口部１８を閉鎖した際、本体ケース１１の蓋体係止部１１ｋに係止されることで、蓋体の開放を抑制する係止部１３ｂが形成されている。
【００１７】
次に、図３〜６を参照して、集塵部検出手段１９について説明する。
集塵部検出手段１９は、合成樹脂により一体に形成された部品であり、後述する集塵部２０に形成された通気路２１ｂを形成する開口の幅と同じか、大きく左右の幅が形成されている。
この集塵部検出手段１９の前側上部１９ａは平面で構成され、前側下部１９ｂは前側上部の平面から前方向に突出する前突出部１９ｃと、この前突出部から下方向に突出する凸部１９ｄを有する形状である。
【００１８】
次に、集塵部検出手段１９の後側上部１９ｅの外面１９ｆは、上部から下部にかけて後方に膨らむ形状であり、なだらかな曲面で構成され、上側の所定幅の上面部１９ｇより下側の位置には、凹部１９ｈが形成されている（つまり、上面部１９ｇは、集塵部検出手段１９の上端から凹部１９ｈが形成される部分の間に挟まれた部分）。
【００１９】
次に、集塵部検出手段１９の後側下部１９ｉは、集塵部検出手段１９の下部内側に入り込む傾斜面１９ｊが形成されている（つまり、傾斜面１９ｊは、集塵部検出手段１９の後側下部１９ｉを面取りして形成したような形状である。）。
また、この集塵部検出手段１９は、左右両端に軸部１９ｋが形成されている。
尚、この軸部１９ｋと傾斜面１９ｊと前突出部１９ｃは、軸部１９ｋの前方側に前突出部１９ｃが位置し、軸部１９ｋの後方側に傾斜面１９ｊが位置する。
【００２０】
このように各部が構成された集塵部検出手段１９は、上開口部１８の周縁であって、下ケース１１の前部側の位置に形成される凹部１１ａに、次のように取付けられる。
凹部１１ａの左右壁面には、軸受部（図示せず）が形成されている。そしてこの左右の軸受け部に、集塵部検出手段１９の左右の軸部１９ｋを軸支させることで、集塵部検出手段１９は、前後に回動可能に、下ケース１１に取付けられる。
【００２１】
尚、この時、傾斜面１９ｊが形成されている部位と後側上部１９ｅの一部は、上開口部１８の内側（つまり、集塵室１４の内部）に位置している。
つまり、集塵部検出手段１９の後部の一部が、上開口部１８の内側（つまり、集塵室１４の内部）に突出している。
【００２２】
また、集塵部検出手段１９の前突出部１９ｃと凹部１１ａの底部の間には、スプリングＳが内側に凸部１９ｄを挿入した状態で、設けられている。
このスプリングＳは、自然長より縮めた状態で、両部材間に介在しており、集塵部検出手段１９は、スプリングＳの復元力で、常に前突出部１９ｃを上方に押圧された状態で設けられている。
尚、集塵部検出手段９は、蓋体１３を閉鎖した状態において、蓋体１３に設けられた突起部１３ａと上下の位置関係となる。
【００２３】
次に、図７〜９を参照して、集塵部２０について説明する。
集塵部２０は、後部が開口する集塵ケース２１と、この開口を覆う蓋部２２により構成された容器状の部材であり、内部に取り込んだ空気の旋回流を発生させ、空気と塵埃を分離する為のサイクロン発生部２３が設けられている。
【００２４】
集塵ケース２１は、前面２１ａ（吸引した空気流の上流側）に、掃除機本体１０の前開口部１６と連通する通気路２１ｂが開口している。この通気路２１ｂは、円形の開口の周縁２１ｃを前方に突出させた円筒形状である。
また、この通気路２１ｂの上方には、前面２１ａから前方に突出するガイド部２１ｄが形成されている。このガイド部２１ｄは、左右方向に幅を有する上部受部２１ｅと、この上部受部２１ｅから通気路２１ｂに至る中間受部２１ｆから構成されている。
【００２５】
尚、ガイド部２１ｄの上部受部２１ｅと中間受部２１ｆの前面は、通気路２１ｂの前面（開口周縁）と同一面内となるように構成されている。
また、上部受部２１ｅの前面２１ｇと中間受部２１ｆの前面２１ｈと通気路２１ｂの前面２１ｉにより構成される面２０Ｐは、集塵室１４に対して集塵部２０を装着する方向（上下方向）に対して、前方に傾斜した状態に構成されている。
【００２６】
次に、蓋部２２は、枠体の内面側（上流側）に漏斗状のフィルターが設けられ、外面側（下流側）に平板状のフィルターが圧入されて構成されている。
また、蓋部２２の下端部２２ａが集塵ケース２１に軸支され、上端部２２ｂに集塵ケースと係合する係合部を設けることにより、集塵ケース２１の開口を開閉可能に装着されている。
このように、集塵ケース２１の開口を蓋部２２で開閉自在に構成することで、集塵部２０の内部に溜まった塵埃を排出可能に構成されている。
【００２７】
次に、集塵部２０を集塵室１４に装着する際の集塵部検出手段１９と集塵部２０と蓋体１３の関係について説明する。
（１）集塵部２０が集塵室１４に取付けられていない状態
図４，５は、集塵部２０が集塵室１４に取付けられていない状態である。
この状態において、集塵部検出手段１９は下ケース１１に軸支されているので、前突出部１９ｃの下側に設けられたスプリングＳによって上方向に押圧されることにより、後方に最大限傾いた状態となる。
【００２８】
この状態において蓋体１３を閉めると、集塵部検出手段１９の上面部１９ｇと、蓋体１３の突起部１３ａは、上下に重なる位置となる（集塵部検出手段１９の第１の状態）。
従って、この状態で蓋体１３を閉鎖しようとすると、上面部１９ｇと蓋体３が上下に接触することから、蓋体１３を本体１０に対して閉鎖できない状態となる。
【００２９】
（２）集塵部２０を塵埃室１４に取付ける為、塵埃室１４内に挿入した状態
図１０，図１１は、集塵部２０を塵埃室１４に取付ける為、塵埃室１４内に挿入した状態である。図１２，図１３は、図１０、図１１の状態より更に集塵部が集塵室１４に挿入された状態である。
まず、塵埃室１４に塵埃部２０を取り付ける場合、上開口部１８から塵埃室１４に対して、塵埃部２０を挿入することにより行う。この時、上開口部１８に塵埃検出手段１９が突出していることから、塵埃部２０と塵埃検出手段１９が接触する。
【００３０】
そして、図１０、図１１を参照すると、上開口部１８から挿入された塵埃部２０は、集塵部検出手段１９の外面１９ｆと塵埃部２０の前面に形成される面２０Ｐとが、摺接しながら下方向に移動する。この時、集塵部検出手段１９は、面２０Ｐに後方から押圧されるので、スプリングＳの力に対抗して、前方向に傾く。
そして、図１２、図１３を参照すると、更に集塵部２０が集塵室１４内部を下方向に移動すると、更に集塵部検出手段１９は、面２０Ｐに後方から押圧され、更に前方向（矢印Ａ）に傾いた状態となる。
【００３１】
これは、面２０Ｐが、前方に傾斜した形状である為である。つまり、面２０Ｐの下側の面より上側の面の方が、より前方に位置することから、集塵部検出手段１９と面２０Ｐの接触する位置が下から上に変化することにより、面２０Ｐが集塵部検出手段１９を押圧する量が増える為である。
このように、集塵部検出手段１９が前方に傾くにつれて、スプリングＳが縮み、自然長へと戻るバネ力が蓄えられる。
【００３２】
尚、集塵部検出手段１９の外面１９ｆは、曲面により構成されているので、集塵部検出手段１９と面２０Ｐがスムーズに摺接することが可能である。
また、図１１において、集塵部検出手段１９は通気路２１ｂの開口を押圧された状態であるが、集塵部検出手段１９の左右方向の幅が、通気路２１ｂを形成する開口の幅と同じか、大きく形成されているので、通気路２１の開口内部に集塵部検出手段１１が入り込むことがない。
【００３３】
（３）集塵部２０が集塵部１４の取り付けられた状態
図１４は、集塵室１４に集塵部２０が確実に取り付けられた状態を示している。
図１３の状態から、更に集塵室１４が下方向へ移動すると、集塵部検出手段１９は、面２０Ｐを構成する上部受部２１ｅを乗り越え、集塵部検出手段１９は上部受部２１eより、上方に位置する。
【００３４】
集塵部検出手段１９は上部受部２１ｅを乗り越えると、スプリングＳの反力により押圧され、勢いよく後方に向かって傾き、集塵部検出手段１９の後側下部に形成された傾斜面１９ｊと、上部受部２０ｅと接触する。
そして、集塵部検出手段１９は、上部受部２０ｅに接触した状態で保持される（集塵部検出手段１９の第２の状態）。
【００３５】
この時、蓋体１３が上開口１８を閉じた状態では、集塵部検出手段１９に形成された凹部１９ｈと、蓋体１３に設けられた突起部１３ａは上下の位置関係となる。
従って、蓋体１３を閉じたとき、突起部１３ａは、凹部１９ｈの内部に入り込むことが可能となる。つまり、突起部１３ａが凹部１９ｈに入り込むことで、突起部１３ａが集塵部検出手段１９と接触しない状態となり、蓋体１３を下ケース１１に対して正しく閉じることができる。
【００３６】
また、この傾斜面１９ｊと、上部受部２０ｅと接触した際に、集塵部２０に対して衝撃を与えると共に、接触音が発生する。これにより、使用者が集塵部２０を集塵室１４に取り付ける際に、集塵部２０を確実に取り付けられたかを確認することができる。
【００３７】
さらに、集塵部２０取り付け時において、集塵部検出手段１９が上部受部２１ｅを乗り越えるまでは、集塵部２０は集塵部検出手段１９から、後方に押圧する力を受ける。そして、集塵部検出手段１９が上部受部２１ｅを乗り越えた後は、集塵部２０は集塵部検出手段１９から、下方向に押圧する力を受ける。
これにより、集塵部２０に加わる力の向きの変化から、使用者が集塵部２０の取り付けの際に、集塵室１４の正しい搭載位置に搭載された装着感を得ることができる。
また、集塵部２０は、集塵室１４に装着されている状態では、集塵部検出手段１９から、下方向に押圧する力を受けるので、集塵室１４の内部により確実に保持される。
【００３８】
以上、本実施の形態において、集塵部２０はサイクロン式のもので説明したが、内部に塵埃を保持する紙パックを用いたものでもよい。
【符号の説明】
【００３９】
Ｃ  電気掃除機、１０  本体  、２０  集塵部  ３０  ホース  ４０  延長パイプ
５０  床用吸込具、  １１  下ケース、１２  上ケース、１３  蓋体、１４集塵室
１５  電動送風機室、１６  前開口部、１７  内壁、１８  上開口部、
１９  集塵部検出手段、
【図１】
2011010930.tif 000003
【図２】
2011010930.tif 000004
【図３】
2011010930.tif 000005
【図４】
2011010930.tif 000006
【図５】
2011010930.tif 000007
【図６】
2011010930.tif 000008
【図７】
2011010930.tif 000009
【図８】
2011010930.tif 000010
【図９】
2011010930.tif 000011
【図１０】
2011010930.tif 000012
【図１１】
2011010930.tif 000013
【図１２】
2011010930.tif 000014
【図１３】
2011010930.tif 000015
【図１４】
2011010930.tif 000016